(57)【要約】【課題】  使用時に丸めて皺を付ける手間を省くことができ、摺擦面積が大きくて汚れを落としやすく、吸水性が良好で、水にほぐれやすいロール紙の提供。【解決手段】  長尺の紙片を連続して多層に巻き取り、全層を貫通すると共に、その両側の対向辺どうしが接する線状の多数の切り込み２によって、細長い短冊状に切断された変形容易部３を形成してある。【選択図】          図１
2005152009.tif 000002
【特許請求の範囲】
【請求項１】
長尺の紙片を連続して多層に巻き取り、全層を貫通すると共に、その両側の対向辺どうしが接する線状の多数の切り込みによって、細長い短冊状に切断された変形容易部を形成したことを特徴とするロール紙。
【請求項２】
側部に前記切り込みを入れることによって、前記変形容易部を形成した請求項１に記載のロール紙。
【請求項３】
幅方向中央部に切り込みを入れることによって、変形容易部を形成した請求項１に記載のロール紙。
【請求項４】
前記切り込みを幅方向に知って形成した請求項１乃至３のいずれかに記載のロール紙。
【請求項５】
前記切り込みを幅方向に対して傾斜して形成した請求項１乃至３のいずれかに記載のロール紙。
【発明の詳細な説明】
【技術分野】
【０００１】
本発明は、トイレットペーパー、クッキングペーパー等のロール紙に関する。
【背景技術】
【０００２】
長尺の紙片を連続して巻いたトイレットペーパー、クッキングペーパー等のロール紙は、使用分だけ切り取り、丸めて身体や物品を拭くことが多い。ところが、扁平な紙片を手で丸めただけでは、十分な摺擦面積が得られず、液体等を吸収しにくい。
また、水洗トイレに流すと、水にほぐれ難いので、パイプが詰まる原因になり易い。
【０００３】
従来、何枚も重ねて巻いたトイレットペーパーに、間隔をおいて、両端に案内切り込みと、その内側に溝状穴を設けてちぎりやすくしたトイレットペーパーが知られている（特許文献１）。
しかし、このトイレットペーパーは、使用分程度の長さを開けて切り込み及び溝状穴を形成してあるので、切り取った後に丸める手間が必要であり、切り込みや溝状穴を形成したことによって、汚れを除去しやすいよう紙を変形させることはできない。
また、両縁を波形にした衛生用紙を、波形の並ぶ方向に巻き取った波形衛生用ロール紙も公知である（特許文献２）。
このロール紙の波形は、原材料を少なくし、美観を良くするために形成されており、使用する際には従来のものと同様に丸めなければならず、汚れ落とし効果を向上させることはできない。
【０００４】
【特許文献１】実開昭６３−１３３１９６号公報
【特許文献２】特開平６−１３３８９４号公報
【発明の開示】
【発明が解決しようとする課題】
【０００５】
本発明が解決しようとする課題は、使用時に丸めて皺を付ける手間を省くことができ、摺擦面積が大きくて汚れを落としやすく、吸水性が良好で、水にほぐれやすいロール紙を提供することにある。
【課題を解決するための手段】
【０００６】
本発明のロール紙は、長尺の紙片を連続して多層に巻き取り、全層を貫通すると共に、その両側の対向辺どうしが接する線状の多数の切り込みによって、細長い短冊状に切断された変形容易部を形成する。
側部に切り込みを入れることによって、変形容易部を形成しても良いし、或いは、幅方向中央部に切り込みを入れることによって、変形容易部を形成しても良い。
また、切り込みは、幅方向に沿って形成することも、幅方向に対して傾斜して形成することもできる。
【発明の効果】
【０００７】
本発明によれば、予め、対向辺どうしが接する多数の短冊状に切断された変形容易部を形成してあり、十分な摺擦面積と液体吸収能力を有するので、切り取った後で丸めて皺を作る必要が無く、汚れを落とし易く、様々な用途に応用できる。
また、切り込みは、その両側の対向辺どうしが接するよう線状に形成してあるので、ロール紙を切り取って無駄にする部分がない。
さらに、細幅の短冊状に切断された変形容易部を有するので水にほぐれ易く、水と一緒に流してもパイプが詰まりにくい。
【発明を実施するための最良の形態】
【０００８】
以下、本発明の実施例を図面に基づいて詳細に説明する。
【実施例１】
【０００９】
図１及び図２は、実施例１を示す。
ロール紙１は、図１に示すように、長尺の紙片を連続して巻き取って多層に積層してある。ロール紙１の一側部には、全層を貫通する多数の切り込み２が幅方向に沿って入れてあり、これらの切り込み２によって細長い短冊状に切断された変形容易部３が形成されている。
各切り込み２は、その両側の対向辺どうしが接するよう線状に形成してある。また、切り込み２の長さは一定ではなく、全幅の１／４〜１／２程度に達し、このため、切り込み２間に形成された各短冊片４も様々な長さとなるが、短冊片４の幅（切り込み２間の距離）を短冊片４の長さ（切り込み２の長さ）よりも小さくして、細長い短冊片４を形成してある。
【００１０】
ロール紙１を先端から適宜長さ引き出して切り取ると、図２に示すように、切り取ったロール紙１の一側に形成された変形容易部３は、多数の短冊片４に分離されているため、特に細かい皺ができるように丸めて変形させる必要がない。
また、カット機能付きのペーパーホルダを用いなくても、簡単に必要長さだけ破り取ることが可能である。
なお、ロール紙１には、適宜間隔毎に幅方向に沿う切り取り用のミシン目を形成しても良い。
【実施例２】
【００１１】
図３は、実施例２を示す。
長尺の紙片を連続して巻き取って多層に積層したロール紙１の両側縁に、多数の細かい三角形の凹凸５が長手方向に沿って形成される。
この凹凸５は、ロール紙１を切り取るときにガイドとなり、凹凸５の底部から容易に切断することができる。
なお、短冊片４の先端が山形に尖って草状にみえるよう、切り込み２は、その端部が凹凸５の谷部分と一致する位置に形成することが望ましい。
その他の構成は、実施例１とほぼ同様なので、同一部分に同一符号を付して、詳細な説明を省略する。
【実施例３】
【００１２】
図４は、実施例３を示す。
ロール紙１の一側部に、幅方向に沿う多数の切り込み２を、側縁から１ｍｍ程度の隙間６をあけて形成し、切り込み２によって細長い短冊状に切断された変形容易部３を形成してある。
切り込み２は、ロール紙１の全層に亘り、切り込み２を挟んだ両側の対向辺同士が接するよう線状に形成される。
ロール紙１の側部は、隙間６によって連続されているので、ロール状態でホルダに装着している時には、短冊片４がばらけて邪魔になることが無い。ところが、ロール紙１を適宜長さ引き出して切断すると、非常に狭い隙間６は簡単に破れて、短冊片４どうしが分離する。
その他の構成は、実施例１又は実施例２とほぼ同様である。
【実施例４】
【００１３】
図５は、実施例４を示す。
ロール紙１の両側部に、全層に亘り、且つ、幅方向に沿う多数の線状の切り込み２を形成し、切り込み２によって細長い短冊状に切断された変形容易部３を設ける。
両側部に形成した切り込み２は、互いに同じ間隔で形成しても異なる間隔で形成しても良い。また、両側部の切り込み２を同じ間隔に形成する場合は、同一線上に形成することも、互い違いに形成することもできる。
その他の構成は、実施例１乃至実施例３のいずれかと同様である。
なお、上記実施例１乃至実施例４において、切り込み２は、ロール紙１の幅方向に対して傾斜し、且つ、互いに平行に形成することができる。
【実施例５】
【００１４】
図６は、実施例５を示す。
ロール紙１の中心線を挟んだ両側に、互いに逆向きに傾斜した多数の切り込み２を、半幅づつ位置を変えて形成することにより、ロール紙１の幅方向中央部に、多数の短冊状に切断された変形容易部３を設けてある。
この切り込み２も、ロール紙１の全層に亘り、その両側の対向辺どうしが接するよう線状に形成する。
その他の構成は、実施例１又は実施例２とほぼ同様である。
【実施例６】
【００１５】
図７は、実施例６を示す。
ロール紙１の中央部に、両側の対向辺どうしが接する線状の多数の切り込み２を幅方向に沿って形成し、ロール紙１の幅方向中央部に、多数の短冊状に切断された変形容易部３を設ける。
その他の構成は、実施例１又は実施例２とほぼ同様である。
【実施例７】
【００１６】
図８は、実施例７を示す。
実施例６と同様に、ロール紙１の中央部に多数の切り込み２を幅方向に沿って形成し、ロール紙１の幅方向中央部に変形容易部３を設ける。
さらに、ロール紙１の全層に亘り、その中心線に沿って中間切断線７を形成する。中間切断線７は周長の全長に亘って連続して形成しても良いし、周長の一部のみに形成しても良い。
なお、実施例６及び実施例７において、ロール紙１の中央部に、幅方向に対して傾斜した多数の切り込み２を形成することにより、傾斜した多数の短冊片４から成る変形容易部３を設けることもできる。
【００１７】
本発明のロール紙１は、芯無しのロール紙、細芯を有するロール紙、及び、太芯を有するロール紙のいずれにも応用できる。
また、ロール紙を適宜色彩に着色したり、模様や文字を表示したり、各種香料、洗浄液、消毒液等を含有させることも可能である。
さらに、このロール紙１は人体や物品を拭くのに用いるが、柔らかくて液体吸収能力が高いので、適宜長さに切り取って鳥かご等の底に敷いたり、複数層に折り畳んで変形容易部３以外の部分を束ね、立体化することによって、草むらのような見かけ及び感触になるため、ペットの使い捨てトイレとしても使用でき、紙製なのでペットが食べても健康を害する心配がない。
また、切り込み２は、これを挟んだ両側の対向辺どうしが接するようにされているので、その作成に際してロール紙を除去する必要が無く、ロール紙に無駄を生じない。
【図面の簡単な説明】
【００１８】
【図１】実施例１を示すロール紙の巻取り状態における斜視図。
【図２】実施例１を示す切断したロール紙の斜視図。
【図３】実施例２を示すロール紙の斜視図。
【図４】実施例３を示すロール紙の斜視図。
【図５】実施例４を示すロール紙の斜視図。
【図６】実施例５を示すロール紙の要部展開図。
【図７】実施例６を示すロール紙の要部展開図。
【図８】実施例７を示すロール紙の要部展開図。
【符号の説明】
【００１９】
１  ロール紙
２  切り込み
３  変形容易部
４  短冊片
５  凹凸
６  隙間
７  中間切断線
【図１】
2005152009.tif 000003
【図２】
2005152009.tif 000004
【図３】
2005152009.tif 000005
【図４】
2005152009.tif 000006
【図５】
2005152009.tif 000007
【図６】
2005152009.tif 000008
【図７】
2005152009.tif 000009
【図８】
2005152009.tif 000010